(57)【要約】【課題】擬似薪が燃えているような視覚的印象を早期に与えることができると共に擬似薪から炎が立ち昇るような視覚的印象も与えることができるようにした構造簡単な暖炉型暖房機を提供する。【解決手段】擬似薪１４を耐熱金属の板金で成形し、擬似薪１４の熱容量を小さくする。また、擬似薪１４に切起しによる孔１５を複数形成し、孔１５の孔縁の切起し部１５ａがバーナの火炎からの熱を受けて、擬似薪１４の赤熱が促進されるようにする。更に、擬似薪１４の裏面に炎色剤の保持部を設ける。【選択図】図２
2008107042.tif 000002
【特許請求の範囲】
【請求項１】
暖房機本体内に、暖房機本体の前面から内部を目視可能な燃焼筐を備え、燃焼筐内に、バーナの上方に位置する擬似薪を収納した暖炉型暖房機であって、
擬似薪が耐熱金属の板金で成形され、バーナはブンゼン燃焼することを特徴とする暖炉型暖房機。
【請求項２】
前記擬似薪の裏面に棒状の炎色剤を保持する保持部が設けられていることを特徴とする請求項1記載の暖炉型暖房機。
【請求項３】
前記擬似薪に、裏面側への切起しによる孔が複数形成されていることを特徴とする請求項1又は2記載の暖炉型暖房機。
【発明の詳細な説明】
【技術分野】
【０００１】
本発明は、暖房機本体内に、暖房機本体の前面から内部を目視可能な燃焼筐を備え、燃焼筐内に、バーナの上方に位置する擬似薪を収納した暖炉型暖房機に関する。
【背景技術】
【０００２】
この種の暖炉型暖房機で用いる従来の擬似薪はセラミックスで成形されている。このようなセラミックス製の擬似薪は熱容量が大きく、赤熱するまでに時間がかかる。そこで、燃焼筐の下部に全一次燃焼する赤外線バーナを配置し、赤外線バーナの燃焼プレートの赤熱で擬似薪を赤く照らして、擬似薪が燃えているような視覚的印象を早期に与えられるようにした暖炉型暖房機が従来知られている（例えば、特許文献1参照）。
【０００３】
然し、赤外線バーナは火炎の長さが短く擬似薪から炎が立ち昇るような視覚的印象を与えることができない。そこで、特許文献１に記載のものでは、燃焼筐の下部に赤外線バーナに加えて赤く長い火炎を生成する赤火バーナを配置している。
【特許文献１】実公平３−２０６４１号公報
【発明の開示】
【発明が解決しようとする課題】
【０００４】
上記特許文献１に記載のものでは、バーナとして赤外線バーナと赤火バーナとの２種類のバーナを用いるため、構造が複雑でコストが高くなる不具合がある。
【０００５】
本発明は、以上の点に鑑み、２種類のバーナを用いることなく擬似薪が燃えているような視覚的印象を早期に与えることができると共に擬似薪から炎が立ち昇るような視覚的印象も与えることができるようにした暖炉型暖房機を提供することをその課題としている。
【課題を解決するための手段】
【０００６】
上記課題を解決するために、本発明は、暖房機本体内に、暖房機本体の前面から内部を目視可能な燃焼筐を備え、燃焼筐内に、バーナの上方に位置する擬似薪を収納した暖炉型暖房機であって、擬似薪が耐熱金属の板金で成形され、バーナはブンゼン燃焼することを特徴とする。
【０００７】
本発明によれば、バーナをブンゼン燃焼させることで長い火炎が生成され、擬似薪から炎が立ち昇るような視覚的印象を与えることができる。また、本発明では、擬似薪を板金製とすることで擬似薪の熱容量が小さくなり、擬似薪がブンゼン燃焼するバーナの火炎により短時間で赤熱する。そのため、赤外線バーナを用いなくても、擬似薪が燃えているような視覚的印象を早期に与えることができる。
【０００８】
また、本発明においては、擬似薪の裏面に棒状の炎色剤を保持する保持部が設けられていることが望ましい。これによれば、バーナの火炎が炎色剤による炎色反応で所望の色に着色され、擬似薪から炎が立ち昇る視覚的印象をより効果的に与えることができる。尚、擬似薪は板金製であるため、炎色剤の保持部を板金の折曲げ等で簡単に形成でき、合理的である。
【０００９】
また、本発明においては、擬似薪に、裏面側への切起しによる孔が複数形成されていることが望ましい。これによれば、孔の孔縁の切起し部が擬似薪の裏側を通過するバーナの火炎からの熱を受ける受熱フィンとして機能し、擬似薪の赤熱が促進される。また、孔を形成することで、擬似薪が表面に凹凸の付いた本物の薪に似た感じになる。
【発明を実施するための最良の形態】
【００１０】
図1を参照して、１は暖房機本体を示している。暖房機本体1内には燃焼筐２が設けられている。燃焼筐２の下部にはバーナ３が配置されている。そして、燃焼筐２の下部に給気ダクト４を接続すると共に、燃焼筐２の後側に燃焼筐２内に連通する熱交換器５を配置して、熱交換器５の下流端に排気ファン６を介して排気ダクト７を接続し、排気ファン６の作動により燃焼筐２の強制給排気が行われるようにしている。
【００１１】
また、暖房機本体1内には循環ファン８が設けられている。そして、循環ファン８の作動により、室内空気が暖房機本体１の背面下部の吸込み口９から吸込まれて熱交換器５で加熱され、温風となって暖房機本体1の前面上部の吹出し口１０から室内に送風されるようにしている。
【００１２】
燃焼筐２の前面にはガラス１１が装着されている。また、暖房機本体１の前面にはガラス１１に対向する窓部１２が開設されており、暖房機本体１の前面から燃焼筐２内が目視可能となる。そして、燃焼筐２内にバーナ３の上方に位置する擬似薪１４を収納し、薪を燃やす暖炉風の感じを得られるようにしている。
【００１３】
尚、燃焼筐２内には、擬似薪１４を支持する支持板１３が設けられている。そして、支持板１３の下側の空間からバーナ３に一次空気が供給されると共に、支持板１３に形成した通気孔１３ａを通して支持板１３の上方に二次空気が供給されるようにしている。
【００１４】
擬似薪１４は、耐熱金属、例えば、日新製鋼のＮＣＡ−１（耐高温酸化ステンレス）の板金を図２に示す如く半割り筒状にプレス成形して成るものである。また、擬似薪１４には、裏面側への切起しによる孔１５が複数形成されており、各孔１５の孔縁から裏面側にのびる切起し部１５ａが設けられている。孔１５は擬似薪１３の長手方向に長手の長孔であり、この孔１５を擬似薪１４に千鳥状に形成することで、擬似薪１４が表面に凹凸の付いた本物の薪に似た感じになるようにしている。
【００１５】
また、擬似薪１４の裏面には、図３に示す如く、棒状の炎色剤１６を保持する保持部１７が設けられている。保持部１７は、擬似薪１４の側縁に延出した舌片部を擬似薪１４の裏面側に折り曲げることで形成されている。
【００１６】
バーナ３は、多数の炎孔を有する燃焼プレート３ａを備えるプレート式バーナで構成されている。バーナ３に供給する混合気（燃料ガスと一次空気との混合気体）は理論空燃比より燃料濃度が濃くなっており、バーナ３はブンゼン燃焼（燃焼用空気として一次空気と二次空気とを用いる燃焼方式）する。また、燃焼プレート３ａの直上部を囲う二次空気制限筒３ｂを設けて、燃焼プレート３ａの近傍での燃焼を抑制し、二次空気制限筒３ｂの上方に長くのびる火炎Ｆが生成されるようにしている。
【００１７】
本実施形態によれば、擬似薪１４が板金製であることから、擬似薪１４の熱容量が小さくなる。そのため、ブンゼン燃焼するバーナ３の火炎で擬似薪１４が短時間で赤熱する。更に、擬似薪１４の孔１５の切起し部１５ａが擬似薪１４の裏面側を通過する火炎Ｆからの熱を受ける受熱フィンとして機能し、擬似薪１４の赤熱が促進される。従って、バーナ３への点火から短時間で擬似薪１４が燃えているような視覚的印象を与えることができる。また、バーナ３を弱燃焼させた場合でも擬似薪１４の赤熱部分が多くなり、これにより燃焼中であることを確認できる。従って、燃焼確認のための燃焼ランプが不要になる。
【００１８】
また、バーナ３のブンゼン燃焼で長い火炎Ｆが生成されるため、擬似薪１４から炎が立ち昇るような視覚的印象を与えることができる。特に、擬似薪１４の裏面の保持部１７に保持される炎色剤１６との炎色反応で、バーナ３の火炎Ｆを本物の薪が燃えるときの炎に近い赤みの強い炎にすることができ、見栄えが良くなる。また、バーナ３をブンゼン燃焼させることで、全二次燃焼させる場合に比し火炎温度が高くなり、ＣＯの発生やすすの付着が少なくなる。
【００１９】
以上、本発明の実施形態について図面を参照して説明したが、本発明はこれに限定されない。例えば、上記実施形態では、擬似薪１４全体を板金製としたが、バーナ３の火炎が触れる可能性がある擬似薪１４の部分のみを板金製とし、それ以外の擬似薪１４の部分をセラミックス等で形成することも可能である。
【００２０】
また、上記実施形態では、バーナ３をプレート式バーナで構成しているが、バーナ３として燃焼プレートを具備しない通常のブンゼン式バーナを用いることも可能である。
【００２１】
また、上記実施形態は強制給排気式の暖炉型暖房機に本発明を適用したものであるが、暖房機本体内に循環ファンで循環される室内空気にバーナの燃焼排ガスを混合させて室内に送風する型式の暖炉型暖房機にも同様に本発明を適用できる。
【図面の簡単な説明】
【００２２】
【図１】本発明の実施形態の暖炉型暖房機の切断側面図。
【図２】実施形態の暖炉型暖房機で用いる擬似薪の斜視図。
【図３】図２の擬似薪の裏面側から見た斜視図。
【符号の説明】
【００２３】
１…暖房機本体、２…燃焼筐、３…バーナ、１４…擬似薪、１５…孔、１５ａ…切起し部、１６…炎色剤、１７…保持部。
【図１】
2008107042.tif 000003
【図２】
2008107042.tif 000004
【図３】
2008107042.tif 000005